(57)【特許請求の範囲】
【請求項１】
（ａ）工場生産による製作品である土台（５）および大引（６）上に、工場生産による所定の厚みで、枠材（１ｄ）の内部に、断熱材（１ｆ）を一体的に設置した断熱材付木製パネルよりなる床パネル（１）を敷設する第１工程と、
（ｂ）前記土台（５）上に１階柱（７）を建て込み、前記１階柱（７）上に１階耐力壁横架材（８）を架設する第２工程と、
（ｃ）前記土台（５）、前記１階柱（７）、前記１階耐力壁横架材（８）で囲まれた空間に、工場生産による所定の厚みで、枠材（２ｄ）の内部に、断熱材（２ｆ）を一体的に設置した断熱材付木製パネルよりなる１階耐力壁パネル（２，２ａ）を建て込む第３工程と、
（ｄ）前記１階耐力壁横架材（８）に２階柱（９）を建て込み、前記２階柱（９）上に２階耐力壁横架材（１０）を架設する第４工程と、
（ｅ）前記１階耐力壁横架材（８）、前記２階柱（９）、前記２階耐力壁横架材（１０）で囲まれた空間に、前記１階耐力壁パネル（２，２ａ）と同一規格の２階耐力壁パネル（２，２ａ）を建て込む第５工程と、
（ｆ）１階の必要開口部を除いて軸組材で囲まれた空間に、工場生産による所定の厚みで、枠材（２ｄ）の内部に、断熱材（２ｆ）を一体的に設置した断熱材付木製パネルよりなる１階壁パネル（２ｂ）を建て込む第６工程と、
（ｇ）２階の必要開口部を除いて軸組材で囲まれた空間に、前記１階壁パネル（２ｂ）と同一規格の２階壁パネル（２ｂ）を建て込む第７工程と、
（ｈ）前記２階柱（９）に囲まれた空間の前記２階柱（９）に、工場生産による所定の厚みで、枠材（３ｄ）の内部に、断熱材（３ｆ）を一体的に設置した断熱材付木製パネルよりなる天井パネル（３）を取り付ける第８工程と
を備えた高断熱、高気密性木造建築物の建築工法において、
対向配置された前記１階耐力壁横架材（８）間には、内周耐力壁外横架材（１１）が架設され、また、対向配置された前記２階耐力壁横架材（１０）間には、内周耐力壁外横架材（１１）が架設されており、
前記１階耐力壁パネル（２，２ａ）、前記２階耐力壁パネル（２，２ａ）、前記１階壁パネル（２ｂ）および前記２階壁パネル（２ｂ）の枠材（２ｄ）には、構造用面材（２ｅ）が設けられており、
前記１階耐力壁パネル（２，２ａ）、前記２階耐力壁パネル（２，２ａ）、前記１階壁パネル（２ｂ）および前記２階壁パネル（２ｂ）内の上部には、補強用受材（２ｃ）が設けられており、
前記１階耐力壁パネル（２，２ａ）、前記２階耐力壁パネル（２，２ａ）、前記１階壁パネル（２ｂ）および前記２階壁パネル（２ｂ）を、工場生産による一体型パネルとしたことを特徴とする高断熱、高気密性木造建築物の建築工法。
【請求項２】
請求項１に記載の高断熱、高気密性木造建築物の建築工法において、
前記１階耐力壁横架材（８）および前記２階耐力壁横架材（１０）は、総ての高さが各階毎同一寸法の物を用い、
前記１階柱（７）および前記２階柱（９）は、通し柱を除く総ての高さが同一寸法の物を用いることを特徴とする高断熱、高気密性木造建築物の建築工法。
【請求項３】
請求項１または請求項２に記載の高断熱、高気密性木造建築物の建築工法において、
前記１階耐力壁パネル（２，２ａ）のパネル高さと前記２階耐力壁パネル（２，２ａ）のパネル高さとを、同じにしたことを特徴とする高断熱、高気密性木造建築物の建築工法。
【発明の詳細な説明】
【０００１】
【発明の属する技術分野】
本発明は、高断熱、高気密性木造建築物の建築工法およびその工法によって得られる木造建築工法に関するものである。
【０００２】
【従来の技術】
近年の建築物は、室内の居住性の向上、つまり夏涼しく、冬暖かい室内環境への改善を省エネルギーにて実現するために、断熱性能、気密性能の向上を図ることが望まれている。
【０００３】
したがって、従来より、断熱材施工工法等においては、仕上げ床材施工前に根太取付け後、根太間に断熱材の取付け、外周に向けた内壁材施工前に間柱施工後、断熱材の充填または取付け、外壁仕上げ材施工前に断熱材取り付け下地施工後、ボード状断熱材の取付け、外周に向けた天井の外周側に天井下地施工後、断熱材の敷き込み、あるいは屋根垂木間または垂木上に断熱材の取付けを隙間なく施工するようにしている。
【０００４】
【発明が解決しようとする課題】
ところが、実際の断熱材施工工法等においては、断熱材の切り込み作業、断熱材の取付け作業に時間を費やすという問題が生じていた。また、その施工手段によっては、断熱性能、気密性能が変るため、現場品質に差が生じるという問題が生じていた。
【０００５】
ここで、木造建築物における在来の高断熱、高気密性木造建築物の建築工法は、現場による施工依存度が高く、上棟建方工事、外部工事、断熱工事、内部工事のいずれの工程でも、熟練した大工と長い日数を必要としている。ここで、一般的な断熱工程では、断熱施工に、例えば熟練した大工が床断熱施工に２人、壁断熱施工に９人、屋根断熱施工に４人を要し、全日数も１５人かかっている。上棟建て方の土台組から大工工事完了までには、述べ大工が８１人、７３日間を要している。
【０００６】
また、木造建築物における在来の建築工法として、工場内で製作された床用パネル体および壁用パネル体を現場の所定箇所に取り付ける工法が採用、提案されている。
【０００７】
木造建築物は、伝統的な工法および構造が多く踏襲されたことにより、１階耐力壁横架材、２階耐力壁横架材を例にとっても、内周耐力壁横架材各１本のスパン等による必要支持力による高さの違いから１階耐力壁横架材、２階耐力壁横架材の高さが大きくなる。そのために、建てる前の部材の種類が多いことによる、実際に建てる上棟建方時に時間と熟練を要している。
【０００８】
【発明の目的】
本発明の目的は、木造建築物の伝統的な工法および構造の持つ良さを生かし、熟練した大工によらなくても、建築施工が可能で、職人不足にも対応でき、且つ工期も大幅に短縮することのできる高断熱、高気密性木造建築物の建築工法を提供することにある。
【０００９】
【課題を解決するための手段】
請求項１に記載の発明は、工場生産による製作品である土台（５）および大引（６）上に、工場生産による所定の厚みで、枠材（１ｄ）の内部に、断熱材（１ｆ）を一体的に設置した断熱材付木製パネルよりなる床パネル（１）を敷設する第１工程と、前記土台（５）上に１階柱（７）を建て込み、前記１階柱（７）上に１階耐力壁横架材（８）を架設する第２工程と、前記土台（５）、前記１階柱（７）、前記１階耐力壁横架材（８）で囲まれた空間に、工場生産による所定の厚みで、枠材（２ｄ）の内部に、断熱材（２ｆ）を一体的に設置した断熱材付木製パネルよりなる１階耐力壁パネル（２，２ａ）を建て込む第３工程と、前記１階耐力壁横架材（８）に２階柱（９）を建て込み、前記２階柱（９）上に２階耐力壁横架材（１０）を架設する第４工程と、前記１階耐力壁横架材（８）、前記２階柱（９）、前記２階耐力壁横架材（１０）で囲まれた空間に、前記１階耐力壁パネル（２，２ａ）と同一規格の２階耐力壁パネル（２，２ａ）を建て込む第５工程と、１階の必要開口部を除いて軸組材で囲まれた空間に、工場生産による所定の厚みで、枠材（２ｄ）の内部に、断熱材（２ｆ）を一体的に設置した断熱材付木製パネルよりなる１階壁パネル（２ｂ）を建て込む第６工程と、２階の必要開口部を除いて軸組材で囲まれた空間に、前記１階壁パネル（２ｂ）と同一規格の２階壁パネル（２ｂ）を建て込む第７工程と、前記２階柱（９）に囲まれた空間の前記２階柱（９）に、工場生産による所定の厚みで、枠材（３ｄ）の内部に、断熱材（３ｆ）を一体的に設置した断熱材付木製パネルよりなる天井パネル（３）を取り付ける第８工程とを備えた高断熱、高気密性木造建築物の建築工法において、
対向配置された前記１階耐力壁横架材（８）間には、内周耐力壁外横架材（１１）が架設され、また、対向配置された前記２階耐力壁横架材（１０）間には、内周耐力壁外横架材（１１）が架設されており、
前記１階耐力壁パネル（２，２ａ）、前記２階耐力壁パネル（２，２ａ）、前記１階壁パネル（２ｂ）および前記２階壁パネル（２ｂ）の枠材（２ｄ）には、構造用面材（２ｅ）が設けられており、
前記１階耐力壁パネル（２，２ａ）、前記２階耐力壁パネル（２，２ａ）、前記１階壁パネル（２ｂ）および前記２階壁パネル（２ｂ）内の上部には、補強用受材（２ｃ）が設けられており、
前記１階耐力壁パネル（２，２ａ）、前記２階耐力壁パネル（２，２ａ）、前記１階壁パネル（２ｂ）および前記２階壁パネル（２ｂ）を、工場生産による一体型パネルとしたことを特徴とする技術手段を採用した。
【００１０】
請求項２に記載の発明は、前記１階耐力壁横架材（８）および前記２階耐力壁横架材（１０）は、総ての高さが各階毎同一寸法の物を用い、前記１階柱（７）および前記２階柱（９）は、通し柱を除く総ての高さが同一寸法の物を用いることを特徴とする技術手段を採用した。すなわち、基礎上に土台、床組に大引を架設し、土台上に１階柱を建て込み、１階柱上に１階耐力壁横架材を架設し、１階耐力壁横架材に２階柱を建て込み、２階柱上に２階耐力壁横架材を架設し、１階柱、２階柱の高さは通し柱を除き総て同一寸法で、且つ１階耐力壁横架材および２階耐力壁横架材の総ての高さが各階毎同一寸法からなる骨組構造の高断熱、高気密性木造建築物の建築工法である。
【００１１】
請求項３に記載の発明は、前記１階耐力壁パネル（２，２ａ）のパネル高さと前記２階耐力壁パネル（２，２ａ）のパネル高さとを、同じにしたことを特徴とする技術手段を採用した。
【００１２】
【作用および発明の効果】
請求項１に記載の発明によれば、現場にて仕上げ床材施工前に根太取付け後、根太間に断熱材の取付け、外周に向けた内壁材施工前に間柱施工後、断熱材の充填または取付け、外壁仕上げ材施工前に断熱材取り付け下地施工後、ボード状断熱材の取付け、外周に向けた天井の外周側に天井下地施工後、断熱材の敷き込み、あるいは屋根垂木間または垂木上に断熱材の取付け等を施工することがなくなる。そして、木造建築物の伝統的な工法および構造の持つ良さを生かし、熟練した大工によらなくても、建築施工が可能で、職人不足にも対応でき、且つ工期も大幅に短縮することができる。さらに、高断熱、高気密、耐用規格に合致した木造建築物の建築工法を提供することができる。
【００１３】
また、１階耐力壁パネル、２階耐力壁パネル、１階壁パネルおよび２階壁パネルの枠材に構造用面材を設けている。そして、１階耐力壁パネル、２階耐力壁パネル、１階壁パネルおよび２階壁パネル内の上部に補強用受材が架設される、１階耐力壁パネル、２階耐力壁パネル、１階壁パネルおよび２階壁パネルを、工場生産による一体型パネルとすることで、内周耐力壁外横架材がスパン等による必要支持力に合わせて高さが大きくなる場合でも、１階耐力壁横架材および２階耐力壁横架材の高さを大きくすることなく、内周耐力壁外横架材を、対向配置された１階耐力壁横架材間、および対向配置された２階耐力壁横架材間に架設することができる。これにより、各部材寸法の規格化が図れ熟練した大工でなくても建築施工が可能となる。
また、木造建築物の室内を構成する１階床部、外壁部、天井部の外周に向けて軸組材で囲まれた空間に、工場生産による所定の厚みの製作品である断熱材付木製パネルよりなる床パネル、１階、２階耐力壁パネル、１階、２階壁パネルおよび天井パネルを配置取り付けすることで、木造建築物の室内を構成する１階床部、外壁部、天井部が、いずれも、断熱性の高い断熱材層で覆われる。それによって、木造建築物の室内が外気の影響を極めて受け難く、夏涼しく冬暖かく、昼夜による温度変化を受け難く、快適な温度状態を保つことができる建築工法として、現場での断熱材施工等にかかる、作業時間の短縮、熟練した大工によらない施工を可能とすることができる。
また、気密性能確保においては、木造建築物の室内を構成する１階床部、外壁部、天井部の外周に向けて軸組材で囲まれた空間に、工場生産による所定の厚みの製作品である断熱材付木製パネルよりなる床パネル、１階、２階耐力壁パネル、１階、２階壁パネルおよび天井パネルを配置取り付けすることで、現場施工による断熱材施工の不陸、および隙間などが少なくなり、現場施工によらない断熱性能、気密性能の品質標準化の効果を得ることができる。
【００１４】
請求項２に記載の発明によれば、１階柱、２階柱の高さは通し柱を除き総て同一寸法で、且つ１階耐力壁横架材および２階耐力壁横架材の総ての高さが各階毎同一寸法からなる骨組構造を採用しているため、１階、２階耐力壁パネルのパネル高さが同一となり、パネル高さに違いがない。このため、１階、２階の区別なく取り付けることができ、どの耐力壁パネルを１階または２階へ取り付けるかという煩わしさをなくすことができる。
請求項３に記載の発明によれば、１階耐力壁パネルのパネル高さと２階耐力壁パネルのパネル高さとが同一となり、パネル高さに違いがない。このため、１階、２階の区別なく取り付けることができ、どの耐力壁パネルを１階または２階へ取り付けるかという煩わしさをなくすことができる。
【００１５】
【発明の実施の形態】
〔実施例の構成〕
発明の実施の形態を実施例に基づき図面を参照して説明する。ここで、図１は本発明の高断熱、高気密性木造住宅の建築工法によって施工されつつある木造住宅の骨組構造を示した図で、図１は１階壁部分、２階壁部分の一部を示した図である。
【００１６】
本発明は、室内を構成する１階床部、外壁部、天井部の外周に向けて軸組材で囲まれた空間に、工場生産による所定の厚みの断熱材付木製パネルである床パネル１、１階、２階耐力壁パネル２、２ａ、１階、２階壁パネル２ｂおよび天井パネル３を配置することで、断熱性住宅金融公庫等の高断熱、高気密、耐用規格に合致した高断熱、高気密性木造住宅の建築工法である。
【００１７】
そして、高断熱、高気密性木造住宅の１階床組構造は、地盤などに安全に支持されるように作られた基礎４上に架設されて工場生産による製作品である土台５と、床組に架設された大引６と、土台５に囲まれた空間の大引６上に敷き込まれた断熱材付木製の床パネル１とからなり、釘またはビスでそれぞれが固定される。
【００１８】
上記のうち複数枚の床パネル１は、図３に示したように、工場生産による所定の厚み、幅、高さの製作品（規格品）で、土台５に囲まれた空間に嵌まる枠材１ｄ、および小口に小口面材１ｇの床材施工面に表面材１ｅを有している。そして、枠材１ｄの内部には、断熱性住宅金融公庫等の高断熱、高気密、耐用規格に合致した断熱材１ｆが一体的に設置されている。
【００１９】
また、高断熱、高気密性木造住宅の１階耐力壁構造は、土台５上に建て込まれた複数本の１階柱７と、これらの１階柱７上に架設された１階耐力壁横架材８と、土台５、１階柱７、１階耐力壁横架材８の外周に向けて軸組材で囲まれた空間に建て込まれた複数枚の１階耐力壁パネル２と、外周開口部において１階の必要開口部を除いて外周に向けて軸組材で囲まれた空間に建て込まれた１階壁パネル２ｂとからなる。
【００２０】
そして、高断熱、高気密性木造住宅の２階耐力壁構造は、１階耐力壁横架材８に建て込まれた複数本の２階柱９と、これらの２階柱９上に架設された２階耐力壁横架材１０と、１階耐力壁横架材８、２階柱９、２階耐力壁横架材１０の外周に向けて軸組材で囲まれた空間に建て込まれて、１階耐力壁パネル２と同一規格の複数枚の２階耐力壁パネル２と、外周開口部において２階の必要開口部を除いて外周に向けて軸組材で囲まれた空間に建て込まれて、１階壁パネル２ｂと同一規格の２階壁パネル２ｂとからなる。
【００２１】
１階、２階耐力壁パネル２、１階、２階耐力壁パネル２ａおよび１階、２階壁パネル２ｂは、工場生産による所定の厚み、幅、高さの製作品で、土台５、１階柱７、１階耐力壁横架材８、あるいは１階耐力壁横架材８、２階柱９、２階耐力壁横架材１０の外周に向けて軸組材で囲まれた空間に嵌まる枠材２ｄの片面に外周に向けて構造用面材２ｅを有している。そして、枠材２ｄの内部には、断熱性住宅金融公庫等の高断熱、高気密、耐用規格に合致した断熱材２ｆが一体的に設置されている。
【００２２】
１階耐力壁横架材８および２階耐力壁横架材１０は、総ての高さが各階毎同一寸法の物を用いている。そして、対向配置された１階耐力壁横架材８間には、図１および図２に示したように、内周耐力壁外横架材１１が架設されており、また、対向配置された２階耐力壁横架材１０間には、図１および図２に示したように、内周耐力壁外横架材１１が架設されている。そして、図４に示した１階、２階耐力壁パネル２、図６に示した１階、２階耐力壁パネル２ａ、および図２および図５に示した１階、２階壁パネル２ｂ内の上部に補強用受材２ｃが架設される、１階、２階耐力壁パネル２、２ａおよび１階、２階壁パネル２ｂを、工場生産による一体型パネルとする。そして、１階柱７、２階柱９の高さは通し柱を除き総て同一寸法の物を用いている。また、１階、２階耐力壁パネル２、１階、２階耐力壁パネル２ａのパネル高さは同じで、各耐力壁パネル２、２ａの高さの違いはない。
【００２３】
さらに、２階柱９で囲まれた空間には、天井パネル３が取り付けられている。その天井パネル３は、工場生産による所定の厚み、幅、高さの製作品で、図７に示したように、外周に向けた天井に２階柱９で囲まれた空間に嵌まる枠材３ｄを有している。枠材３ｄの内部には、断熱性住宅金融公庫等の高断熱、高気密、耐用規格に合致した断熱材３ｆが一体的に設置されている。
【００２４】
〔実施例の建築工法〕
本実施例の高断熱、高気密性木造住宅の建築工法を図１ないし図７に基づいて説明する。
【００２５】
イ）第１工程
基礎４上に土台５、床組に大引６を架設し、土台５に囲まれた空間の大引６上に床パネル１を釘またはビスで固定することで、現場にて仕上げ床材施工前に、大引６上に釘にて根太取付け、根太取付け後、根太間に断熱材の取付け施工がなくなる。
【００２６】
ロ）第２工程および第３工程
土台５上に１階柱７を建て込み、１階柱７上に１階耐力壁横架材８を架設し、土台５、１階柱７、１階耐力壁横架材８の外周に向けて軸組材で囲まれた空間に１階耐力壁パネル２を建て込む。
【００２７】
ハ）第４工程および第５工程
１階耐力壁横架材８に２階柱９を建て込み、２階柱９上に２階耐力壁横架材１０を架設し、１階耐力壁横架材８、２階柱９、２階耐力壁横架材１０の外周に向けて軸組材で囲まれた空間に２階耐力壁パネル２を建て込む。
ニ）第６工程および第７工程
外周開口部においては、１階、２階共必要開口部を除いて外周に向けて軸組材で囲まれた空間に１階、２階壁パネル２ｂを建て込む。
【００２８】
これにより、現場にて外周に向けた内壁材施工前に間柱施工、間柱施工後断熱材の充填または取付け、外壁仕上げ材前に断熱材取付け下地施工、断熱材取付け下地施工後ボード状断熱材の取付け、間柱施工に必要な土台５の上部、１階耐力壁横架材８の上下部、２階耐力壁横架材１０の下部のほぞやほぞ溝等の前加工を施工する必要はない。また、枠材２ｄの片面に構造用面材２ｅを有した１階、２階耐力壁パネル２、１階、２階耐力壁パネル２ａを必要耐力壁に配置取り付けすることで、現場にて必要耐力壁に筋交い、あるいは、大壁造の面材耐力壁、真壁造の面材耐力壁等を下地から施工する必要はない。
【００２９】
基礎４上に土台５、床組に大引６を架設し、土台５上に１階柱７を建て込み、１階柱７上に１階耐力壁横架材８を架設し、１階耐力壁横架材８に２階柱９を建て込み、２階柱９上に２階耐力壁横架材１０を架設し、１階柱７、２階柱９の高さは通し柱を除き総て同一寸法で、且つ１階耐力壁横架材８および２階耐力壁横架材１０総ての高さが各階毎同一寸法からなる骨組構造のため、１階、２階耐力壁パネル２、１階、２階耐力壁パネル２ａのパネル高さは同じで、各耐力壁パネル２、２ａの高さの違いがないため、１階、２階の区別なく取り付けることができ、どの耐力壁パネル２、２ａを１階または２階へ取り付けるかという煩わしさをなくすことができる。
【００３０】
また、１階、２階耐力壁パネル２、１階、２階耐力壁パネル２ａおよび１階、２階壁パネル２ｂ内の上部に補強用受材２ｃが架設される、１階、２階耐力壁パネル２、１階、２階耐力壁パネル２ａおよび１階、２階壁パネル２ｂを、工場生産による一体型パネルとすることで、図１および図２に示したように、対向配置される１階耐力壁横架材８間に架設される内周耐力壁外横架材１１および対向配置される２階耐力壁横架材１０間に架設される内周耐力壁外横架材１１がスパン等による必要支持力に合わせて高さが大きくなる場合でも、１階耐力壁横架材８および２階耐力壁横架材１０の高さを大きくすることなく、上記の内周耐力壁外横架材１１を架設することができる。
【００３１】
ホ）第８工程
２階柱９に囲まれた空間に、天井パネル３を取り付けることで、外周に向けた天井の外周側に天井下地施工、天井下地施工後断熱材の敷き込み、あるいは、屋根垂木間または垂木上に断熱材の取付け等を施工する必要はない。
【００３２】
〔実施例の効果〕
本実施例の高断熱、高気密性木造住宅の建築工法は、高断熱、高気密性木造住宅の室内を構成する１階床部、外壁部、天井部の外周に向けて軸組材で囲まれた空間に、工場生産による所定の厚み、幅、高さの製作品である断熱材付木製パネルよりなる床パネル１、１階、２階耐力壁パネル２、１階、２階壁パネル２ｂおよび天井パネル３を配置取り付けすることで、高断熱、高気密性木造住宅の室内を構成する１階床部、外壁部、天井部が、いずれも、断熱性の高い断熱材層（床パネル１、１階、２階耐力壁パネル２、１階、２階壁パネル２ｂ、天井パネル３）で覆われる。
【００３３】
それによって、断熱性住宅金融公庫等の高断熱、高気密、耐用規格に合致する高断熱、高気密性木造住宅の室内が外気の影響を極めて受け難く、夏涼しく冬暖かく、昼夜による温度変化を受け難く、快適な温度状態を保つことができる建築物工法として、現場での断熱材施工等にかかる、作業時間の短縮、熟練した大工によらない施工を可能とすることができる。
【００３４】
また、気密性能確保においては、高断熱、高気密性木造住宅の室内を構成する１階床部、外壁部、天井部の外周に向けて軸組材で囲まれた空間に、工場生産による所定の厚み、幅、高さの製作品である断熱材付木製パネルよりなる床パネル１、１階、２階耐力壁パネル２、１階、２階耐力壁パネル２ａ、１階、２階壁パネル２ｂおよび天井パネル３を配置取り付けすることで、現場施工による断熱材施工の不陸、および隙間などが少なくなり、現場施工によらない断熱性能、気密性能の品質標準化の効果を得ることができる。
【００３５】
本発明によって、１階柱７、２階柱９の高さは通し柱を除き総て同一寸法で、且つ１階耐力壁横架材８および２階耐力壁横架材１０の総ての高さが各階毎同一寸法からなる骨組構造を採用しているため、１階、２階耐力壁パネル２、１階、２階耐力壁パネル２ａ等の各断熱材付木製パネルの高さが同一となり、各断熱材付木製パネルの高さに違いがない。このため、１階、２階の区別なく取り付けることができ、どの断熱材付木製パネルを１階または２階へ取り付けるかという煩わしさをなくすことができる。
【００３６】
また、１階、２階耐力壁パネル２、１階、２階耐力壁パネル２ａおよび１階、２階壁パネル２ｂ内の上部に補強用受材２ｃが架設される、１階、２階耐力壁パネル２、２ａおよび１階、２階壁パネル２ｂを、工場生産による一体型パネルとすることで、内周耐力壁外横架材１１が必要支持力に合わせて高さが大きくなる場合も、１階耐力壁横架材８および２階耐力壁横架材１０の高さを大きくすることなく、内周耐力壁外横架材１１を架設することができる。これにより、各部材寸法の規格化が図れ熟練した大工でなくても建築施工が可能となる。
【００３７】
以上から、本実施例では、規格化された１階柱７、２階柱９、１階耐力壁横架材８、２階耐力壁横架材１０、床パネル１、１階、２階耐力壁パネル２、１階、２階耐力壁パネル２ａ、１階、２階壁パネル２ｂ、天井パネル３の各部材を使用することにより、高断熱、高気密性木造住宅の上棟建て方の土台組から大工工事完工までの所要日数が大工職２２人、人夫８人、着工から完高さまで所要日数４３日となる。
【００３８】
これは、同一規模の住宅を建てた場合の在来工法による高断熱、高気密性木造住宅にみられる上棟建て方の土台組から大工工事完工までの所要日数が大工職８１人、着工から完成までの所要日数１０３日に比べて、大幅な工期短縮を可能としている。これらにより、木造住宅の伝統的な工法および構造の持つ良さを生かし、熟練した大工によらなくても、建築施工が可能で、職人不足にも対応でき、且つ工期も大幅に短縮することが可能となる。また、工期に係る必要固定費の削減が可能となり、安価な木造住宅等の建築物の提供が可能となる。
【００３９】
また、１階耐力壁横架材８および２階耐力壁横架材１０の総ての高さが各階毎同一寸法とすると、木造住宅の耐力壁を構成するのに必要な水平状態で使用される１階耐力壁横架材８および２階耐力壁横架材１０の高さが同一ということである。なお、１階耐力壁横架材８および２階耐力壁横架材１０の総ての高さを各階毎同一寸法とするとは、これらの１階耐力壁横架材８および２階耐力壁横架材１０をでき得る限り同じ寸法にすることであり、同一寸法のものの使用によっては所定の寸法に足りない部分では、補強材を併用して所定寸法にすることを否定するものではない。
【００４０】
さらに、高断熱、高気密性木造住宅の室内を構成する床部、外壁部、天井部の外周に向けて軸組材で囲まれた空間に、配置取り付けする断熱材付木製パネルである床パネル１、１階、２階耐力壁パネル２、１階、２階壁パネル２ｂ、天井パネル３の各枠材１ｄ、２ｄ、３ｄの内部に一体的に設置される断熱材１ｆ、２ｆ、３ｆは、住宅金融公庫等の高断熱、高気密、耐用規格に合致する断熱材で、形状、材種、材料名は問わず、現場施工によらず、断熱材付木製パネルとして断熱性、気密性の得られる材料であればいずれも適用を否定するものではない。
【００４１】
さらに、１階、２階耐力壁パネル２、１階、２階耐力壁パネル２ａに有する構造用面材２ｅは、住宅金融公庫等の真壁造の面材耐力壁受材タイプの面材耐力壁の種類は問わず、現場施工によらず、真壁造の面材耐力壁の構造用面材として得られる材料であればいずれも適用を否定するものではない。
【図面の簡単な説明】
【図１】本発明の高断熱、高気密性木造住宅の建築工法によって施工されつつある木造住宅の骨組構造を示した一部斜視図である（実施例）。
【図２】本発明の高断熱、高気密性木造住宅の建築工法によって施工されつつある木造住宅の１階壁、２階壁部分を示した一部斜視図である（実施例）。
【図３】（ａ）は床パネルの構造を示した平面図、（ｂ）は床パネルの構造を示した背面図で、（ｃ）は床パネルの構造を示した断面図である（実施例）。
【図４】（ａ）は１階耐力壁パネルの構造を示した平面図および背面図、（ｂ）は２階耐力壁パネルの構造を示した平面図および背面図である（実施例）。
【図５】（ａ）は１階壁パネルの構造を示した平面図および背面図、（ｂ）は２階壁パネルの構造を示した平面図および背面図である（実施例）。
【図６】（ａ）は１階耐力壁パネルの構造を示した平面図および背面図、（ｂ）は２階耐力壁パネルの構造を示した平面図および背面図である（実施例）。
【図７】（ａ）は天井パネルの構造を示した平面図、（ｂ）は天井パネルの構造を示した背面図、（ｃ）は天井パネルの構造を示した断面図である（実施例）。
【符号の説明】
１  床パネル
２  １階耐力壁パネル
２  ２階耐力壁パネル
３  天井パネル
４  基礎
５  土台
６  大引
７  １階柱
８  １階耐力壁横架材
９  ２階柱
１０  ２階耐力壁横架材
１１  内周耐力壁外横架材
１ｄ  床パネル用枠材
１ｅ  床パネル用表面材
１ｆ  床パネル用断熱材
１ｇ  床パネル用小口面材
２ａ  １階耐力壁パネル
２ａ  ２階耐力壁パネル
２ｂ  １階壁パネル
２ｂ  ２階壁パネル
２ｃ  補強用受材
２ｄ  枠材
２ｅ  構造用面材
２ｆ  断熱材
３ｄ  天井パネル用枠材
３ｆ  天井パネル用断熱材
【図１】
0003575737.tif 000002
【図２】
0003575737.tif 000003
【図３】
0003575737.tif 000004
【図４】
0003575737.tif 000005
【図５】
0003575737.tif 000006
【図６】
0003575737.tif 000007
【図７】
0003575737.tif 000008